(57)【要約】    【課題】  光ディスクと安定化板を容易に剥離できると同時に、高速回転時でも場合でも安定的に光ディスクを回転することが可能な記録再生装置を実現することである。    【解決手段】安定板のディスクの光ディスクの反対側の面に遮蔽部材を設け、安定板と遮蔽部材との間隔を調整する手段を設ける。【選択図】  図１
2007172727.tif 000002
【特許請求の範囲】
【請求項１】
可撓性を有するシート状の光ディスクと、前記光ディスクと対向して同心円状に配置される安定化板を有し、前記安定化板の内周側に貫通穴を設けた記録再生装置において、
前記貫通穴に流入する空気量を調節する手段を設けたことを特徴とする記録再生装置。
【請求項２】
可撓性を有するシート状の光ディスクと、前記光ディスクと対向して同心円状に配置される安定化板を有し、前記安定化板の内周側に貫通穴を設けた記録再生装置において、
前記安定板のディスクの前記光ディスクの反対側の面に遮蔽部材を設け、前記安定板と前記遮蔽部材との間隔を調整する手段を設けた記録再生装置。
【請求項３】
可撓性を有するシート状の光ディスクと、前記光ディスクと対向して同心円状に配置される安定化板を有し、前記安定化板の内周側に貫通穴を設けた記録再生装置において、
前記安定板のディスクの前記光ディスクの反対側の面に遮蔽部材を設け、前記安定板と前記遮蔽部材を柔軟な支持部材で連結したことを特徴とする記録再生装置。
【請求項４】
請求項２または３に記載の記録再生装置において、
前記光ディスクと前記安定化板との間にスペーサを介し、前記貫通穴近傍に空間を設けることを特徴とした記録再生装置。
【請求項５】
請求項２に記載の記録再生装置において、前記光ディスクを高速に回転させる場合には前記安定化板と遮蔽部材との間隔を小さく、もしくは安定化板と遮蔽部際を接触させ、前記光ディスクを低速に回転させる場合には、前記安定化板と遮蔽部際の間隔を大きくすることを特徴とする記録再生装置。
【発明の詳細な説明】
【技術分野】
【０００１】
本発明は、可撓性を有するシート状の光ディスクを記録または再生する記録再生装置に関する。
【背景技術】
【０００２】
このような可撓性を有するシート状ディスクを記録再生する装置として特許文献１がある。
【０００３】
この公報に記載の記録再生装置では、光ディスクと対向配置され光ディスクとの対向面が平坦面となっている安定化板とを備えており、ディスク回転時には光ディスクと安定化板の間が負圧状態となり光ディスクと安定化板の間隔が減少し、
安定的に光ディスクを回転することができる記録再生装置が開示されている。
【特許文献１】特開２００３−００６９０３号公報
【発明の開示】
【発明が解決しようとする課題】
【０００４】
特許文献１に記載の記録再生装置では、光ディスクと安定化板の間の空間が回転による空気流で負圧となり、光ディスクと安定化板が張り付いてしまい、光ディスクを取り外すことが困難となり、装置としての信頼性が低下するという問題が生じる。そのため、安定化板の、光ディスクの記録再生半径位置よりも内周側に貫通穴を設けることにより、光ディスクと安定化板の間に空気が流入しやすくして容易に光ディスクと安定化板を引き剥がすことが可能な構造が考えられる。
【０００５】
しかし、その場合には光ディスクが高速に回転した場合には貫通穴から流入する空気流が大きくなり、光ディスクが安定的に回転しないという問題が生じる。
【０００６】
本発明は、上記の課題を解決することを目的とするものであり、光ディスクと安定化板を容易に取り外せると同時に、高速回転時でも場合でも安定的に光ディスクを回転することが可能な記録再生装置を実現することである。
【課題を解決するための手段】
【０００７】
本発明の第１の実施例の断面図を図１に示す。図に示すように可撓性を有する光ディスク１に対向して安定化板２が配置されており、安定化板２の内周側には貫通穴３を設けている。光ディスク１の一例は、厚さ０．０５ｍｍ〜０．２ｍｍのポリカーボネート樹脂、ポリエステル樹脂等の基材の表面に記録層を設けたものである。安定化板２は厚さ０．５ｍｍのガラス板である。光ディスク１は記録層が安定化板２の反対側になるように配置されている。さらに貫通穴３の近傍には遮蔽部際を配置しており、遮蔽部材４はアクチュエータ５により、安定化板２との間隔を任意に調整可能としている。
【０００８】
記録再生時には、クランプ６により光ディスク１をスピンドル７に固定した後、光ディスク１と安定化板２をスピンドル７により回転し、光ピックアップ８にて記録再生する。
光ディスク１と安定化板２が回転している場合には、光ディスク１と安定化板２の隙間の空気が遠心力によって光ディスク１の外周側に吐出され、光ディスク１と安定化板２との間隔に負圧が発生し光ディスク１が安定化板２に引き寄せられ光ディスク１を安定的に回転することができる。
【０００９】
ただし、光ディスク１と安定化板２が密着してしまった場合には、光ディスク１を安定化板２から取り外すことが困難となるため、安定化板２の内周側に貫通穴３を設けることにより、光ディスク１と安定化板２の隙間に少量の空気を流入させることにより光ディスク１の取り外しが容易な構造としている。
【００１０】
さらに、貫通穴３を設けた場合には、高速回転時には光ディスク１と安定化板２の隙間の空気に作用する遠心力が大きくなるため貫通穴３から流入する流量が大きくなり、光ディスク１に面ぶれが発生し安定的な記録再生が困難となる。
【００１１】
上記を確認するために流体解析を行った。解析に用いた光ディスク１は内径１５ｍｍ、外形１２０ｍｍ、厚さ０．１ｍｍとした。安定化板２は、図２に示すように、内径１５ｍｍ、外形１１７ｍｍ、厚さ０．５ｍｍとし、直径６ｍｍの貫通穴３を内周側に６個配置した。図３に示すように、光ディスク１と安定化板２の間隔は０．３ｍｍとして解析した。ディスク回転数をパラメータとした、図３の観測線１１(破線)で示す安定化板２と光ディスク１の中間の領域の圧力の変化を図４に示す。縦軸は圧力、横軸は回転中心からの半径とする。
【００１２】
図４に示すように、光ディスク１の回転数が毎分４０００回転以下の場合はほぼ全域が負圧になっており、光ディスク１が安定化板２に吸い付くことが予想される。それに対し、毎分６０００回転の場合は半径位置が４５ｍｍ以上では正圧になっており、回転数が大きくなるほど正圧の発生する領域が大きくなる傾向にある。これは、回転数が大きくなるほど光ディスク１を安定化板２から引き剥がす方向の圧力が大きくなることを示しており、上記のように光ディスク１に面ぶれが発生することが予測される。
【００１３】
このような問題を解決するために、図１の例では貫通穴３近傍に遮蔽部材４を配置し、かつ遮蔽部材４と安定化板２の間隔を調整する手段を設けている。
【００１４】
図４に示すように光ディスク１を低速に回転する場合には、光ディスク１と安定化板２の隙間は負圧となり、安定的に光ディスク１を回転できるため、光ディスク１が安定化板２に張り付くことを防ぐために、図５に示すように安定化板２と遮蔽部材４の間隔を広く保ち、貫通穴３から積極的に空気を流入させる。
【００１５】
それに対し、高速回転時には空気の流入量が多くなり光ディスク１に面ぶれが発生しやすくなるため、図６に示すように安定化板２と遮蔽部材４の間隔を小さくし、空気の流入を妨げる。
【００１６】
光ディスク１を安定化板２から取り外す場合には、安定化板２と遮蔽部材４の間隔を図５程度もしくはそれ以上大きくすることにより、光ディスク１と安定化板２の隙間に容易に空気が流入するため、光ディスク１を容易に取り外すことができる。
【００１７】
図７に本発明の第２の実施例を示す。図５の例では光ディスク１と安定化板２の間にスペーサ１２を設けている。図１の例では、クランプ６により光ディスク１が安定化板２に押し付けられているため、貫通穴３から空気が流入しにくい構成となっており、低速回転時でも光ディスク１と安定化板２との隙間に空気が流入しにくく光ディスク１と安定化板２が張り付きやすいという問題がある。図７の例では、スペーサ１２を配置することにより、貫通穴３の部分では光ディスク１と安定化板２との間に確実に空間があるため、必要なときには空気が流入できるため、張り付きが発生する恐れが無く、信頼性を向上することができる。
【００１８】
図８に本発明の第３の実施例を示す。図１の例ではアクチュエータ５により、遮蔽板と安定化板２との間隔を調整しているが、図８の例では遮蔽部材４を弾性体１３により支持している。図４からもわかるように、光ディスク１を高速に回転させる場合には、光ディスク１と安定化板２の隙間の空気に働く遠心力が大きくなり大量の空気が吐出される。そのため、貫通穴３近辺の負圧力が大きくなり、遮蔽部材４には安定化板２に引き寄せられる方向の力が発生し、遮蔽部材４と安定化板２の間隔はおのずから小さくなり、貫通穴３から流入する空気が少なくなり光ディスク１は安定的に回転することができる。また、低速回転時ならびに非回転時には弾性体１３により遮蔽部材４と安定化板２の間隔は大きくなるため、光ディスク１と安定化板２が張り付く恐れが無い。図８の例でも、図７と同様に光ディスク１と安定化板２との間にスペーサ１２を介して貫通穴３の近傍に空間を作る構成にしてもよい。
【００１９】
図９に本発明の第４の実施例を示す。図１から８の例ではCDやＤＶＤと同様の光学系となることを想定し、前述のようにガラス等で０．５ｍｍ厚の安定化板２を構成し、光ディスク１は０．０５〜０．２ｍｍ厚かつ安定化板２と反対側の面に記録層を設け、安定化板２側からレーザ光を入射することにより全体で光の透過層が０．６ｍｍ程度となるように構成している。それに対し、図９の例ではブルーレイディスクを想定し、光ディスク１の安定化板２側の面に記録層を設け、光ディスク１側からレーザ光を入射することにより、透過層を０．１ｍｍとしている。この構成の場合、図９に示すように遮蔽部材４は安定化板２に対してクランプ６と同じ側に配置されるため、遮蔽部材４はアクチュエータ５を介してクランプ６に取り付けられている。図１から８の例では光ピックアップ８８等との位置的な干渉により遮蔽部材４の有効移動範囲をあまり大きく取れないが、図９の例では干渉する構造物が存在しないため、最適な遮蔽部材４の配置が可能となる。
【図面の簡単な説明】
【００２０】
【図１】本発明の第１の実施例の断面図を示す。
【図２】解析に用いた安定化板の上面図を示す。
【図３】解析の概略図を示す。
【図４】解析結果を示す。
【図５】本発明の第一実施例の低速回転時の断面図を示す。
【図６】本発明の第一実施例の低速回転時の断面図を示す。
【図７】本発明の第２の実施例の断面図を示す。
【図８】本発明の第３の実施例の断面図を示す。
【図９】本発明の第４の実施例の断面図を示す。
【符号の説明】
【００２１】
１…光ディスク、２…安定化板、３…貫通穴、４…遮蔽部材、５…アクチュエータ、６…クランプ、７…スピンドル、８…光ピックアップ、９…ベース、１０…解析領域、１１…観測線、１２…スペーサ、１３…弾性体
【図１】
2007172727.tif 000003
【図２】
2007172727.tif 000004
【図３】
2007172727.tif 000005
【図４】
2007172727.tif 000006
【図５】
2007172727.tif 000007
【図６】
2007172727.tif 000008
【図７】
2007172727.tif 000009
【図８】
2007172727.tif 000010
【図９】
2007172727.tif 000011